(57)【特許請求の範囲】
【請求項１】
プロジェクタであって、
光源と、
前記光源から射出された光のうち、赤、緑及び青の３色の色光に応じてそれぞれ設けられ、当該色光を画像情報に応じてそれぞれ変調する３つの光変調装置と、
変調された前記色光を投射する投射光学装置と、
吐出口がそれぞれ並列配置される２つのシロッコファンと、
それぞれの前記吐出口から吐出された冷却空気を前記３つの光変調装置に導風するダクトとを備え、
前記２つのシロッコファンは、羽根部材が外周に沿って設けられ、かつ、互いに逆方向に回転する回転軸が互いに同軸上に位置せずに、それぞれの前記吐出口における外周側の領域が隣り合うように配置され、
前記ダクトは、
それぞれの前記吐出口における外周側の領域から吐出された前記冷却空気を、緑色光に応じて設けられた緑色用の前記光変調装置に導風する第一ダクト部と、
それぞれの前記吐出口における内周側の領域から吐出された前記冷却空気を、赤色光に応じて設けられた赤色用の前記光変調装置、及び、青色光に応じて設けられた青色用の前記光変調装置に導風する第二ダクト部とを備え、
前記第二ダクト部は、
それぞれの前記吐出口のうち、一方の吐出口における内周側の領域から吐出された前記冷却空気を、赤色用の前記光変調装置に導風する第一導風部と、他方の吐出口における内周側の領域から吐出された前記冷却空気を、青色用の前記光変調装置に導風する第二導風部とを備えることを特徴とするプロジェクタ。
【請求項２】
請求項１に記載のプロジェクタにおいて、
前記光源と前記３つの光変調装置との間に設けられ、入射される光を１種類の偏光光に揃える偏光変換素子を備え、
前記ダクトは、前記第１導風部内を流通する前記冷却空気の一部を、前記偏光変換素子に導風する第三ダクト部を備えることを特徴とするプロジェクタ。
【請求項３】
請求項１又は請求項２に記載のプロジェクタにおいて、
それぞれの前記シロッコファンは、前記吐出口から前記冷却空気が吐出される方向に対する略直交方向に吸気口を有し、
それぞれの前記吸気口は、略同じ方向を向いていることを特徴とするプロジェクタ。
【請求項４】
請求項１から請求項３のいずれかに記載のプロジェクタにおいて、
それぞれの前記色光の光路上に配置され、かつ、それぞれの前記光変調装置の光束入射側及び光束射出側に配置される一対の偏光板を備え、
緑色用の前記光変調装置に前記冷却空気を送風する前記第一ダクト部の送風口は、当該緑色用の光変調装置における前記光束入射側に前記冷却空気を送風する領域の面積より、前記光束射出側に前記冷却空気を送風する領域の面積が大きくなるように形成されていることを特徴とするプロジェクタ。
【請求項５】
請求項１から請求項４のいずれかに記載のプロジェクタにおいて、
それぞれの前記シロッコファンの吐出口は、当該吐出口から吐出される前記冷却空気の吐出方向上にそれぞれの前記光変調装置が位置しないように配置され、
前記第一ダクト部は、
それぞれの前記吐出口からの前記冷却空気の吐出方向に沿って延出する延出部と、
前記延出部の延出方向先端側に接続され、緑色光用の前記光変調装置に近接する方向に湾曲する湾曲部と、
前記湾曲部における前記延出方向先端側から前記延出方向基端側に近接するように傾斜した傾斜部と、
前記延出部、前記湾曲部及び前記傾斜部に沿って流通した前記冷却空気を、緑色用の前記光変調装置に送風する送風口とを有することを特徴とするプロジェクタ。
【請求項６】
請求項１から請求項５のいずれかに記載のプロジェクタにおいて、
前記光源と前記３つの光変調装置との間に設けられ、当該光源から射出された光を赤、緑及び青の３色の色光に分離する分離光学装置を備えることを特徴とするプロジェクタ。
【発明の詳細な説明】
【技術分野】
【０００１】
本発明は、プロジェクタに関する。
【背景技術】
【０００２】
従来、光源と、当該光源から射出された光束を画像情報に応じて変調する光変調装置と、変調された光束を投射する投射光学装置とを備えたプロジェクタが知られている。このようなプロジェクタとして、光源から射出された光束を赤、緑及び青の各色光に分離する色分離光学装置と、分離された色光ごとに設けられた光変調装置としての３つの液晶パネルと、当該各液晶パネルにより変調された色光を合成する色合成光学装置としてのプリズムとを備えた、いわゆる３板式プロジェクタが挙げられる。
【０００３】
このようなプロジェクタに用いられる液晶パネル、及び、当該液晶パネルの前後に配置される偏光板は、プロジェクタの駆動時に高温となり、熱による劣化が懸念される。このため、プロジェクタを安定して駆動させるために、筐体外部から導入した空気を液晶パネル及び偏光板等の冷却対象に送風し、当該冷却対象を冷却する冷却装置を備えたプロジェクタが知られている（例えば、特許文献１参照）。
この特許文献１に記載のプロジェクタでは、液晶パネルの数に応じた複数の冷却ファンを備え、当該各冷却ファンは、対応する液晶パネルにそれぞれ独立して冷却空気を送風する。
【０００４】
【特許文献１】特開２００１−３１２００３号公報
【発明の開示】
【発明が解決しようとする課題】
【０００５】
しかしながら、前述の特許文献１に記載のプロジェクタでは、液晶パネルのそれぞれに対して冷却ファンを設ける必要があるため、ファンの数が多くなるという問題がある。
このような問題に対して、複数のファンから吐出された冷却空気を集めた後、冷却対象の数に応じて当該冷却空気を分けて送風する構成が考えられる。しかしながら、各ファンから吐出された冷却空気を単純に分けても、ファンの吐出口における冷却空気の吐出圧及び吐出風量は一様でないため、冷却空気を適切に分割できないという問題がある。
【０００６】
また、プロジェクタに用いられる光源としては、超高圧水銀ランプ等の放電光源ランプが一般的である。このような光源ランプから射出された光には、緑色成分が多く含まれる。このため、緑色光の光路上に位置する液晶パネル、及び、当該液晶パネルの前後に配置される偏光板は、特に高温になりやすい。このような問題に対し、例えば、２つの冷却ファンから吐出された冷却空気を単純に３分割し、そのうちの１つを緑色用の液晶パネルに導風するようにした場合では、当該緑色用の液晶パネルの冷却を十分に行えない可能性がある。このような問題から、複数の冷却対象をそれぞれ冷却するに足る十分な風量の冷却空気を、当該各冷却対象に送風することができる冷却装置が求められてきた。
【０００７】
本発明の目的は、複数の光変調装置に対して、それぞれ適切に冷却空気を送風することができるプロジェクタを提供することである。
【課題を解決するための手段】
【０００８】
前記した目的を達成するために、本発明のプロジェクタは、光源と、前記光源から射出された光のうち、赤、緑及び青の３色の色光に応じてそれぞれ設けられ、当該色光を画像情報に応じてそれぞれ変調する３つの光変調装置と、変調された前記色光を投射する投射光学装置と、吐出口がそれぞれ並列配置される２つのシロッコファンと、それぞれの前記吐出口から吐出された冷却空気を前記３つの光変調装置に導風するダクトとを備え、前記２つのシロッコファンは、羽根部材が外周に沿って設けられ、かつ、互いに逆方向に回転する回転軸が互いに同軸上に位置せずに、それぞれの前記吐出口における外周側の領域が隣り合うように配置され、前記ダクトは、それぞれの前記吐出口における外周側の領域から吐出された前記冷却空気を、緑色光に応じて設けられた緑色用の前記光変調装置に導風する第一ダクト部と、それぞれの前記吐出口における内周側の領域から吐出された前記冷却空気を、赤色光に応じて設けられた赤色用の前記光変調装置、及び、青色光に応じて設けられた青色用の前記光変調装置に導風する第二ダクト部とを備え、前記第二ダクト部は、それぞれの前記吐出口のうち、一方の吐出口における内周側の領域から吐出された前記冷却空気を、赤色用の前記光変調装置に導風する第一導風部と、他方の吐出口における内周側の領域から吐出された前記冷却空気を、青色用の前記光変調装置に導風する第二導風部とを備えることを特徴とする。
【０００９】
このような光変調装置として、液晶パネルを例示することができる。
ここで、シロッコファンの吐出口における外周側（すなわち、ファンの中心から離間する側）の領域では、内周側（すなわち、ファンの中心に近接する側）の領域に比べて、冷却空気の吐出圧が高く、風量が多い。
また、光源として放電光源ランプが用いられ、また、赤、緑及び青の３色の色光ごとに光変調装置が設けられている場合には、緑色用の光変調装置は、他の光変調装置に比べて冷却の必要性が高い。
このような特性に基づいて、本発明では、それぞれの吐出口が並列となるように、２つのシロッコファンが配置される。これによれば、第一ダクト部が、各吐出口における隣り合う外周側の領域から吐出された冷却空気、すなわち、吐出圧が高く、かつ、風量の多い冷却空気を、緑色用の光変調装置に導風するので、赤色用の光変調装置及び青色用の光変調装置に比べて冷却の必要性が高い緑色用の光変調装置を、効率よく冷却することができる。また、第二ダクト部が、各吐出口における内周側の領域から吐出された冷却空気を赤色用の光変調装置及び青色用の光変調装置に導風するので、当該赤色用の光変調装置及び青色用の光変調装置を冷却することができる。
従って、各光変調装置の冷却の必要性に応じて、当該各冷却対象に冷却空気を送風することができ、これにより、当該各光変調装置を適切に冷却することができる。
【００１０】
本発明では、前記第二ダクト部は、それぞれの前記吐出口のうち、一方の吐出口における内周側の領域から吐出された前記冷却空気を、赤色用の前記光変調装置に導風する第一導風部と、他方の吐出口における内周側の領域から吐出された前記冷却空気を、青色用の前記光変調装置に導風する第二導風部とを備える。
本発明によれば、緑色用の光変調装置に比べて冷却の必要性が低い赤色用の光変調装置及び青色用の光変調装置のそれぞれに対して冷却空気を送風することができるので、当該赤色用の光変調装置及び青色用の光変調装置を確実に冷却することができる。従って、３つの光変調装置に対して、当該各光変調装置の冷却の必要性に応じて、冷却空気を送風し、これら光変調装置を適切に冷却することができる。
【００１１】
本発明では、前記２つのシロッコファンは、羽根部材が外周に沿って設けられ、かつ、互いに逆方向に回転する回転軸が互いに同軸上に位置しないように、それぞれの前記吐出口における外周側の領域が隣り合うように配置される。
本発明によれば、シロッコファンは、回転軸が同軸上にないように隣接して配置されるため、各吐出口において、それぞれ他方の吐出口に近接する側の領域が、前述の外周側の領域となる。これによれば、隣り合う各吐出口を１つの吐出口とみなした場合の略中央の領域から吐出される冷却空気を第一ダクト部が緑色用の光変調装置に導風することで、当該緑色用の光変調装置に、吐出圧が高く、かつ、風量の多い冷却空気を確実に送風することができる。また、隣り合う吐出口を１つの吐出口とみなした場合の両端側の領域から吐出される冷却空気を第二ダクト部が赤色用の光変調装置及び青色用の光変調装置に導風することができ、当該赤色用の光変調装置及び青色用の光変調装置を冷却することができる。従って、吐出圧が高く、かつ、風量の多い冷却空気を緑色用の光変調装置に、また、吐出圧が低く、かつ、風量の少ない冷却空気を、緑色用の光変調装置に比べて冷却の必要性の低い赤色用の光変調装置及び青色用の光変調装置に、確実かつ簡易に導風することができる。
【００１２】
また、上記のように各シロッコファンを配置することにより、各シロッコファンを重ね合わせるように（それぞれの回転軸が同軸上に位置するように）配置する場合に比べ、回転軸に沿う方向の寸法を小さくすることができる。従って、プロジェクタを薄型化することができる。
更に、第二ダクト部が第一導風部及び第二導風部を備えているので、当該各導風部が、一方の吐出口における他方の吐出口から離間する側の領域から吐出された空気をそれぞれ導風することで、赤色用の光変調装置及び青色用の光変調装置に導風する冷却空気を簡易に確保することができる。従って、プロジェクタの構成を簡略化することができる。
【００１３】
本発明では、前記光源と前記３つの光変調装置との間に設けられ、入射される光を１種類の偏光光に揃える偏光変換素子を備え、前記ダクトは、前記第１導風部内を流通する前記冷却空気の一部を、前記偏光変換素子に導風する第三ダクト部を備えることが好ましい。
本発明では、それぞれの前記シロッコファンは、前記吐出口から前記冷却空気が吐出される方向に対する略直交方向に吸気口を有し、それぞれの前記吸気口は、略同じ方向を向いていることが好ましい。
本発明によれば、各シロッコファンにおいて同じ側に吸気口が位置するので、各吸気口が形成された側にのみ吸気用のスペースを設ければ、各シロッコファンによる吸気を滞りなく行うことができる。従って、各シロッコファンのそれぞれ逆側に吸気口が形成されている場合に比べ、各シロッコファンの回転軸に沿う方向のプロジェクタの寸法を一層小さくすることができる。
【００１４】
本発明では、それぞれの前記色光の光路上に配置され、かつ、それぞれの前記光変調装置の光束入射側及び光束射出側に配置される一対の偏光板を備え、緑色用の前記光変調装置に前記冷却空気を送風する前記第一ダクト部の送風口は、当該緑色用の光変調装置における前記光束入射側に前記冷却空気を送風する領域の面積より、前記光束射出側に前記冷却空気を送風する領域の面積が大きくなるように形成されていることが好ましい。
【００１５】
ここで、前述のように、放電光源ランプから射出された光には、緑色成分が他の色成分より多く含まれるため、緑色光の光路上に配置された偏光板には、他の色光の光路上の偏光板より高い熱が生じる。特に、光変調装置の光束射出側に配置された偏光板は、当該光変調装置により変調された光、或いは、変調されていない光を吸収するため、光束入射側に配置された偏光板に比べて高温となりやすく、冷却の必要性が高い。
このため、本発明では、第一ダクト部の送風口において、緑色用の光変調装置の光束射出側に冷却空気を送風する領域の面積を、光束入射側に送風する領域の面積より大きくすることにより、冷却の必要性が高い光束射出側の偏光板に送風される冷却空気の風量を、光束入射側の偏光板に送風される冷却空気の風量より多くすることができる。従って、偏光板の冷却の必要性に応じた冷却空気の風量調整を行うことができ、これにより、各偏光板に適切な風量の冷却空気を導風して、当該各偏光板を確実に冷却することができる。
【００１６】
本発明では、それぞれの前記シロッコファンの吐出口は、当該吐出口から吐出される前記冷却空気の吐出方向上にそれぞれの前記光変調装置が位置しないように配置され、前記第一ダクト部は、それぞれの前記吐出口からの前記冷却空気の吐出方向に沿って延出する延出部と、前記延出部の延出方向先端側に接続され、緑色光用の前記光変調装置に近接する方向に湾曲する湾曲部と、前記湾曲部における前記延出方向先端側から前記延出方向基端側に近接するように傾斜した傾斜部と、前記延出部、前記湾曲部及び前記傾斜部に沿って流通した前記冷却空気を、緑色用の前記光変調装置に送風する送風口とを有することが好ましい。
【００１７】
本発明によれば、ファンの吐出口から吐出された冷却空気は、延出部に沿って流通した後、湾曲部に到達する。この湾曲部における延出部の延出方向先端側の部位は、緑色光用の光変調装置に向かって湾曲しているので、当該湾曲部に到達した冷却空気は、当該湾曲部分に沿って流通して送風口に向かって流通する。
ここで、延出部の延出方向先端側に、当該延出方向に対する略直交方向に屈曲する屈曲部が設けられている場合には、吐出口から吐出された冷却空気は、屈曲部位に当たり圧力が弱まってしまう。このため、当該延出方向先端側の部位を湾曲させた湾曲部を設けることにより、当該湾曲形状に沿って冷却空気を流通させることができ、圧力を損なわないようにすることができる。しかしながら、単に湾曲させただけの形状では、送風口における当該延出方向先端側を流通する冷却空気と、延出方向基端側を流通する冷却空気との間に圧力の差が生じてしまい、緑色用の光変調装置に導風する冷却空気の流量調節が複雑となる。
【００１８】
これに対し、本発明では、湾曲部と送風口との間に、当該延出方向基端側に向かって傾斜した傾斜部が設けられていることにより、湾曲部及び傾斜部に沿って流通した空気を、送風口に向けさせることができ、当該送風口における冷却空気の圧力を高め、冷却空気の速度を上げることができる。従って、より効率的に冷却を行うことができる。また、前述のように、送風口の開口面積を延出方向先端側及び基端側で調整するなどして、当該送風口における冷却対象に導風する冷却空気の流量調節を簡易に行うことができる。
【００１９】
本発明では、前記光源と前記３つの光変調装置との間に設けられ、当該光源から射出された光を赤、緑及び青の３色の色光に分離する分離光学装置を備えることが好ましい。
【発明を実施するための最良の形態】
【００２２】
以下、本発明の一実施形態を図面に基づいて説明する。
〔プロジェクタの外観構成〕
図１及び図２は、本実施形態に係るプロジェクタ１を正面側から見た斜視図である。詳述すると、図１及び図２は、それぞれプロジェクタ１の正面に向かって左側上方及び右側上方から見た斜視図である。
本実施形態に係るプロジェクタ１は、外部機器等から入力する画像情報に応じた画像光を形成し、当該画像光をスクリーン等の投射面上に投射するものである。このプロジェクタ１は、図１及び図２に示すように、外装筐体２と、当該外装筐体２内に収納される装置本体３（図３参照）とを備えている。
【００２３】
〔外装筐体の構成〕
外装筐体２は、全体略直方体形状を有する合成樹脂製の筐体である。この外装筐体２は、当該外装筐体２の上部を形成するアッパーケース２１、下部を形成するロアーケース２２、及び、正面部（後述する投射光学装置４５により画像光を投射する側の部分）を形成するフロントケース２３とから構成されている。
このうち、ロアーケース２２の底面には、詳しい図示を省略するが、設置面にプロジェクタ１を設置するための脚部が突設されている。
【００２４】
アッパーケース２１は、上面部２１１と、当該上面部２１１から略垂下する左右の側面部２１２，２１３及び背面部２１４とを有する縦断面視略Ｕ字状に形成されている。
上面部２１１の略中央には、複数の開口２１１１が形成されており、当該開口２１１１を介して、プロジェクタ１を操作するための操作パネル上に配設された複数のキー２１１２が露出する。このようなキー２１１２として、プロジェクタ１の電源をオン／オフする電源キーや、台形歪み等の調整並びにメニュー画面の項目選択等に用いられる方向キー及び決定キー等が配設されている。
【００２５】
また、上面部２１１における正面側（フロントケース２３に近接する側）には、開口２１１３及び膨出部２１１４が形成されている。この開口２１１３及び膨出部２１１４が形成された領域に対応する外装筐体２の内部には投射光学装置４５が設けられており、当該開口２１１３を介して、投射光学装置４５（図２）に設けられたズーム及びフォーカス調整用のつまみ４５３（図２）が露出する。また、膨出部２１１４は、投射光学装置４５の形状に応じて面外方向に膨出するように形成されている。
更に、上面部２１１における背面側には、後述する光源装置４１１を交換するための略矩形の開口２１１５が形成され、当該開口２１１５は、カバー２１１６により覆われている。
【００２６】
側面部２１２，２１３のうち、プロジェクタ１を正面側から見た場合の左側に位置する側面部２１３には、図１に示すように、フロントケース２３に近接する側に、外装筐体２外の空気を内部に導入するためのスリット状の吸気口２１３１が形成されている。
また、側面部２１３とは反対側に形成された側面部２１２には、図２に示すように、外装筐体２内部の空気を外部に排出するスリット状の第一の排気口２１２１と、略矩形状の切欠２１２２とが形成されている。
このうち、切欠２１２２には、アッパーケース２１とロアーケース２２とが組み合わされた際に、ロアーケース２２に形成された排気部２２１が嵌め合わされる。なお、この排気部２２１にはスリット状の第二の排気口２２２が形成されており、当該第二の排気口２２２を介して、内部に設けられたファン６７（図３参照）により、外装筐体２内の空気が排出される。
【００２７】
フロントケース２３は、図２に示すように、側面部２１３側に、投射光学装置４５が露出するための略円形状の開口２３１が形成されている。この開口２３１及び投射光学装置４５を覆い、かつ、前述のアッパーケース２１に形成された膨出部２１１４に一部がかかるように、外装筐体２には、レンズカバー７（図１）が取り付けられる。
また、フロントケース２３の略中央上側には、アッパーケース２１と組み合わさって形成される略矩形の開口２３２が形成されている。この開口２３２の内部には、図示を省略したが、リモコン（図示省略）からの赤外線信号を受光する受光部が設けられており、当該開口２３２は、カバー２３３によって覆われている。
【００２８】
〔装置本体の構成〕
図３は、装置本体３を示す斜視図である。換言すると、図３は、図２の状態からアッパーケース２１及びフロントケース２３を取り外した状態のプロジェクタ１を示す斜視図である。
装置本体３は、外部機器等から入力した画像情報を処理し、当該画像情報に応じた画像光を形成投射するものであり、ロアーケース２２に固定されている。この装置本体３は、図３に示すように、光学装置４、電源装置５、制御装置（図示省略）及び冷却装置６を備えている。
【００２９】
このうち、電源装置５は、正面側にフロントケース２３に沿って配置され、外部から入力した商用交流電流を直流変換した後、昇圧及び降圧して、プロジェクタ１を構成する各電子部品に供給する。この電源装置５は、周囲が電磁シールド材５１により覆われており、これによりＥＭＩ（ElectroMagnetic Interference、電磁干渉）対策が施されている。
【００３０】
制御装置は、プロジェクタ１の動作を制御する。例えば、制御装置は、前述の操作パネルの各キー２１１２に対する入力操作に応じた処理を実行するほか、入力する画像情報を処理し、当該画像情報に応じた画像信号を光学装置４の後述する液晶パネル４４１に出力する。この制御装置は、詳しい図示を省略するが、ＣＰＵ（Central Processing Unit）等が実装された回路基板として構成され、光学装置４の上方に配置される。
【００３１】
冷却装置６は、側面部２１３の吸気口２１３１を介して外装筐体２の外部から導入した空気を用いて光学装置４、電源装置５及び制御装置等を冷却し、冷却に供された空気をロアーケース２２の第一の排気口２１２１及び第二の排気口２２２を介して外部に排出する。この冷却装置６は、光学装置４を主に冷却する第一冷却系と、電源装置５を主に冷却する第二冷却系と、第一冷却系での冷却に供された空気を外装筐体２外に排出する排気系とを備えている。このうち、第一冷却系については、後に詳述する。
【００３２】
第二冷却系は、電源装置５近傍に設けられた軸流ファン６６を備え、当該ファン６６の駆動により、電源装置５を冷却する空気の流路が形成される。すなわち、この第二冷却系では、ファン６６が駆動すると、第一冷却系による冷却に供された空気の一部が電源装置５に導入され、当該電源装置５内に空気が流通し、当該電源装置５が冷却される。そして、電源装置５を冷却した空気は、第一の排気口２１２１により排出される。
【００３３】
排気系は、ロアーケース２２の排気部２２１に接続された軸流ファン６７を備え、当該ファン６７の駆動により、外装筐体２内部から外部へと排出される空気の流路が形成される。すなわち、この排気系では、当該ファン６３の駆動により空気が排出される過程で、制御装置及び光学装置４の後述する光源装置４１１に空気が流通し、これらが冷却される。
【００３４】
具体的に、第一冷却系による冷却に供された空気は、ファン６７の駆動によって吸引されて、光学装置４の上方に位置する制御装置に沿って流通し、これにより、制御装置が冷却される。また、この冷却空気の一部は、光源装置４１１内に流入し、これにより、光源装置４１１が冷却される。そして、当該光源装置４１１を冷却した後の空気は、ファン６７により第二の排気口２２２を介して外装筐体２の外部へと排出される。
【００３５】
図４は、光学装置４の光学系を示す模式図である。
光学装置４は、前述の制御装置から入力する画像信号に応じた画像光を形成し、当該画像光を投射面上に投射する。この光学装置４は、外装筐体２の背面（背面部２１４）に沿って延出するとともに、当該外装筐体２の側面（側面部２１３）に沿って延出する平面視略Ｌ字形状を有している。
このような光学装置４は、図４に示すように、照明光学装置４１と、色分離光学装置４２と、リレー光学装置４３と、電気光学装置４４と、投射光学装置４５と、これらを収納配置する光学部品用筐体４６とを備えて構成されている。
【００３６】
照明光学装置４１は、光源装置４１１、第一レンズアレイ４１２、第二レンズアレイ４１３、偏光変換素子４１４及び重畳レンズ４１５を備えて構成されている。
光源装置４１１は、放射状の光線を射出する光源ランプ４１６と、当該光源ランプ４１６から射出された放射光を反射して所定位置に収束させるリフレクタ４１７と、リフレクタ４１７にて収束される光束を照明光軸Ａに対して平行化する平行化凹レンズ４１８とを備えている。このような光源ランプ４１６としては、ハロゲンランプ、メタルハライドランプ及び高圧水銀ランプ等を利用することができる。また、リフレクタ４１７としては、回転楕円面を有する楕円面リフレクタで構成することができるほか、回転放物面を有する放物面リフレクタで構成することも可能である。この場合には、平行化凹レンズ４１８を省略することができる。
【００３７】
第一レンズアレイ４１２及び第二レンズアレイ４１３は、それぞれ対応する小レンズがマトリクス状に配列された構成を有し、第一レンズアレイ４１２は、光源装置４１１から入射した光束を複数の部分光束に分割して、第二レンズアレイ４１３近傍に結像させる。
第二レンズアレイ４１３は、光路後段に位置する重畳レンズ４１５とともに、第一レンズアレイ４１２の各小レンズから射出された像を、電気光学装置４４の後述する液晶パネル４４１の画像形成領域に結像させる。
偏光変換素子４１４は、第二レンズアレイ４１３から入射した各部分光束を、略１種類の直線偏光光に変換する。
【００３８】
色分離光学装置４２は、２枚のダイクロイックミラー４２１，４２２及び反射ミラー４２３を備え、照明光学装置４１から射出された複数の部分光束を赤（Ｒ）、緑（Ｇ）、青（Ｂ）の３色の色光に分離する。このような色分離光学装置４２により分離された３色の色光のうち、赤色光及び緑色光は、集光レンズ４１９を介して赤色光用及び緑色光用の入射側偏光板４４２にそれぞれ入射し、青色光は、リレー光学装置４３及び集光レンズ４１９を介して青色光用の入射側偏光板４４２に入射する。
【００３９】
リレー光学装置４３は、色分離光学装置４２で分離された青色光を、後述する青色光用の液晶パネル４４１Ｂまで導くものであり、入射側レンズ４３１、リレーレンズ４３３及び反射ミラー４３２，４３４を備えている。このようなリレー光学装置４３が青色光の光路上に配置されているのは、青色光の光路の長さが他の色光の光路の長さよりも長いので光の拡散等による光の利用効率の低下を防止するためである。なお、リレー光学装置４３には、３つの色光のうち青色光を通す構成としたが、これに限らず、例えば、赤色光を通す構成としてもよい。
【００４０】
電気光学装置４４は、入射した光束を画像信号に応じて変調してカラー画像に係る画像光を形成する。この電気光学装置４４は、光変調装置としての３つの液晶パネル４４１（赤色光側の液晶パネルを４４１Ｒ、緑色光側の液晶パネルを４４１Ｇ、青色光側の液晶パネルを４４１Ｂとする）と、各液晶パネル４４１の光路前段側に配置される３つの入射側偏光板４４２と、各液晶パネル４４１の光路後段側に配置される３つの射出側偏光板４４３と、クロスダイクロイックプリズム４４４とを備え、これらが一体的に組み合わされたユニットとして構成されている。
【００４１】
３つの入射側偏光板４４２は、色分離光学装置４２で分離された各色光のうち、偏光変換素子４１４で揃えられた偏光方向と略同一の偏光方向を有する偏光光のみ透過させ、その他の光束を吸収する。
３つの液晶パネル４４１は、一対の透明なガラス基板に電気光学物質である液晶が密閉封入された構成を有し、入力される画像情報に応じて液晶の配向状態が制御されることで、入射側偏光板４４２から射出された偏光光の偏光方向を変調する。
３つの射出側偏光板４４３は、液晶パネル４４１を介して射出された光束のうち、一定方向の偏光光（例えば、入射側偏光板４４２における光束の透過軸と直交する偏光軸を有する光束）を透過し、その他の光を吸収する。
【００４２】
クロスダイクロイックプリズム４４４は、各射出側偏光板４４３から射出された変調光を合成してカラー画像を形成する色合成光学装置である。このクロスダイクロイックプリズム４４４は、４つの直角プリズムを貼り合わせた平面視略正方形状を有し、直角プリズム同士を貼り合わせた界面には、２つの誘電体多層膜が形成されている。これら誘電体多層膜は、液晶パネル４４１Ｇから射出され、かつ、射出側偏光板４４３を介した色光を透過し、液晶パネル４４１Ｒ，４４１Ｂから射出され、かつ、射出側偏光板４４３を介した各色光を反射する。これにより、赤色光、緑色光及び青色光が合成された画像光が形成される。
【００４３】
投射光学装置４５は、電気光学装置４４で形成された画像光を拡大投射する。この投射光学装置４５は、複数のレンズ（例えば、投射方向先端側に位置するフレネルレンズ４５１等）と、当該複数のレンズを内部に収納する鏡筒４５２とを備えた組レンズとして構成されており、本実施形態では、従来のプロジェクタに比べて投射面までの距離が短くても、従来のプロジェクタと同等の投射範囲を実現可能に構成されている。
【００４４】
このうち、鏡筒４５２は、図３に示すように、開口２１１３（図１参照）を介して露出するつまみ４５３を備え、当該つまみ４５３を把持した上で、鏡筒４５２を当該鏡筒４５２の軸方向を中心として回動させることにより、手動でズーム及びフォーカスを調整することができる。
また、鏡筒４５２は、当該鏡筒４５２を光学部品用筐体４６に固定するためのフランジ部４５４を備えている。このフランジ部４５４は、詳しい図示を省略したが、鏡筒４５２の軸方向に対して直交し、かつ、光学部品用筐体４６を構成する後述するヘッド体４６３に当接される当接面を有し、当該当接面の四隅には、当該ヘッド体４６３にフランジ部４５４を固定するためのねじが螺合するねじ孔が形成されている。
【００４５】
光学部品用筐体４６は、内部に所定の照明光軸Ａが設定され、上述した各装置４１〜４５を照明光軸Ａに対する所定位置に配置する合成樹脂製の箱状部材である。この光学部品用筐体４６は、前述の各装置４１〜４３を内部に収納するための開口を有し、かつ、内部に当該各装置４１〜４３を位置決めするための複数の溝部を有する部品収納部材４６１と、当該部品収納部材４６１の開口を閉塞する蓋部材４６２と、電気光学装置４４及び投射光学装置４５が取り付けられるヘッド体４６３とを備えて構成されている。
このうち、部品収納部材４６１は、光源装置４１１を除いた光学部品を収納する本体部４６１１と、当該本体部４６１１の一方の端部に形成され、かつ、光源装置４１１を収納する光源収納部４６１２とを備えている。
【００４６】
ヘッド体４６３は、部品収納部材４６１における光源収納部４６１２とは反対側の端部に取り付けられる。このヘッド体４６３は、電気光学装置４４が載置される載置部（図示省略）と、投射光学装置４５が取り付けられるレンズ取付部４６３１と、当該ヘッド体４６３を後述するダクト６１に固定するための固定部（図示省略）とを備えている。
このうち、レンズ取付部４６３１は、投射光学装置４５のフランジ部４５４が当接する当接面と、当該当接面の四隅に形成された孔部とを有している。そして、当該当接面とフランジ部４５４とを当接させ、かつ、投射光学装置４５の軸方向に沿って孔部を挿通したねじをフランジ部４５４のねじ孔に螺合させることにより、ヘッド体４６３に投射光学装置４５が取り付けられる。
【００４７】
〔第一冷却系の構成〕
図５及び図６は、第一冷却系を構成するダクト６１、ファン６２，６３、取付部材６４及びダクト部６５を示す斜視図である。
第一冷却系は、電気光学装置４４及び投射光学装置４５の下方に配置され、当該電気光学装置４４及び偏光変換素子４１４に冷却空気を送風して、これらを冷却する。この第一冷却系は、図５及び図６に示すように、ダクト６１、シロッコファン６２，６３及び取付部材６４と、ロアーケース２２に形成されたダクト部６５とを備えて構成される。
【００４８】
〔ダクトの構成〕
図７は、ダクト６１を示す平面図である。
ダクト６１は、吸気口２１３１から導入された冷却空気をファン６２，６３まで導くものであり、投射光学装置４５の鏡筒４５２におけるロアーケース２２側を覆うように形成されている。このダクト６１は、ロアーケース２２に取り付けられるとともに、ヘッド体４６３を支持する。
このようなダクト６１は、図５〜図７に示すように、一対の側部６１１，６１２と、当該側部６１１，６１２を接続する接続部６１３とを備える縦断面視略Ｕ字状を有する部材であり、内部が中空に形成されている。また、ダクト６１は、一対の側部６１１，６１２を結ぶ直線に対して直交する方向に接続部６１３の端部から延出する延出部６１４を有している。更に、ダクト６１は、当該ダクト６１をロアーケース２２の内面に取り付けるための取付部６１５と、前述の投射光学装置４５が取り付けられたヘッド体４６３を支持するための支持部６１６とを備えている。このようなダクト６１は、接続部６１３の底面６１３Ｂがロアーケース２２側を向くように配置される。なお、延出部６１４の構成については、後に詳述する。
【００４９】
一対の側部６１１，６１２のうち、ダクト６１が外装筐体２に取り付けられた際に側面部２１３に近接する側の側部６１１には、略矩形状の開口６１１１（図６）が形成されている。この開口６１１１は、側面部２１３に形成された吸気口２１３１（図１）と略同じ寸法を有し、当該吸気口２１３１に接続されることで、吸気口２１３１から導入された外装筐体２外の空気をダクト６１内に流入させる。
【００５０】
一方、側部６１２には、側部６１１の高さ寸法と略同じとなる起立部６１２１が形成されている。このため、後述する支持部６１６によりヘッド体４６３が支持された際には、当該投射光学装置４５の鏡筒４５２の下方側が側部６１１，６１２及び接続部６１３により囲まれる。すなわち、ダクト６１は、鏡筒４５２の外形に沿った形状を有している。
接続部６１３は、側部６１１内に流入した空気が側部６１２側に流通できる程度の高さ寸法を有している。ダクト６１の底面側には、開口６１３１が形成されており、当該開口６１３１は、ダクト６１に２つのシロッコファン６２，６３を取り付けるための取付部材６４により覆われる。
【００５１】
取付部６１５は、ダクト６１をロアーケース２２に取り付けるための部位であり、平面視略矩形状の接続部６１３における四隅近傍に形成された４つの孔部である。そして、当該取付部６１５を挿通したねじがロアーケース２２に形成されたねじ孔（図示省略）に螺合することにより、ダクト６１がロアーケース２２に取り付けられる。
【００５２】
支持部６１６は、ダクト６１によりヘッド体４６３を支持させるためのねじ孔であり、ヘッド体４６３に設けられた孔部（図示省略）を挿通したねじが当該支持部６１６に取り付けられることで、当該ヘッド体４６３は、ダクト６１に支持される。このような支持部６１６は、取付部６１５と重ならないように、当該取付部６１５から離間して設けられている。すなわち、支持部６１６と取付部６１５とは、それぞれが同軸上に位置しない。
【００５３】
〔シロッコファンの構成〕
ここで、シロッコファン６２，６３の構成について、先に説明する。
シロッコファン６２，６３は、それぞれ両面吸気ファンであり、前述のように、取付部材６４を介して、ダクト６１の開口６１３１側に取り付けられる。そして、これらシロッコファン６２，６３は、取付部材６４に形成された開口６４１を介して、ダクト６１内に流入した外装筐体２外部の空気を吸引する。
これらシロッコファン６２，６３は、図５及び図６に示すように、それぞれの吐出口６２１，６３１における外周側の領域が隣り合うように配置される。換言すると、各ファン６２，６３は、各吐出口６２１，６３１を同じ側に向けた状態で、当該ファン６２，６３内部に設けられ、かつ、羽根部材を有する回転軸の軸方向が同軸上に位置しないように配置される。そして、このように各ファン６２，６３を配置することで、当該各ファン６２，６３の両面に形成された各吸気口は、それぞれ同じ側を向くこととなる。
【００５４】
これら各ファン６２，６３の吸気口のうち、ダクト６１に対向する側の吸気口６２２，６３２は、吸気可能に構成されているが、当該ダクト６１に対向する側とは反対側の吸気口（図示省略）にはシール部材が貼付されており、当該吸気口での吸気が制限されている。このため、各ファン６２，６３において吸気可能な吸気口６２２，６３２は、それぞれ同じ側（ダクト６１に対向する側）を向いており、当該各ファン６２，６３の吸気方向及び吐出方向は同じとなる。そして、これら各ファン６２，６３の吐出口６２１，６３１は、ロアーケース２２に形成されたダクト部６５に接続される。
【００５５】
なお、これらシロッコファン６２，６３は、前述のように、取付部材６４を介してダクト６１に支持されるが、シロッコファン６２，６３とロアーケース２２との間には隙間が生じる。このため、シロッコファン６２，６３の駆動時に生じる振動は、取付部材６４を介してダクト６１にのみ伝導されることとなる。これにより、外装筐体２に伝わる際の振動の伝導経路が長くなり、当該振動が外装筐体２に伝わりにくくなっている。
また、これらシロッコファン６２，６３の回転軸の回転方向は、それぞれ逆方向であるので、当該各ファン６２，６３で生じた振動は、取付部材６４及びダクト６１に伝導される際に互いに打ち消しあう。このため、各ファン６２、６３の振動は、外装筐体２に一層伝わりにくくなっている。
【００５６】
〔導風部の構成〕
図８は、ダクト部６５を示す平面図である。
ダクト部６５は、図５に示すように、ロアーケース２２において、電気光学装置４４の下方となる位置に形成されている。このダクト部６５は、ダクト６１の後述する延出部６１４と組み合わさることで、各シロッコファン６２，６３から吐出された空気を３分割する。すなわち、ダクト部６５は、本発明のダクトを構成するものである。
具体的に、ダクト部６５は、図６及び図８に示すように、ロアーケース２２の内面から起立する複数の起立部６５Ａにより下方側が囲まれるようにして形成され、かつ、各シロッコファン６２，６３から吐出された空気を分割する第一ダクト部６５１及び第二ダクト部６５２を備えている。なお、これら第一ダクト部６５１及び第二ダクト部６５２は、上方側が開口しているが、この開口は、延出部６１４により閉塞される。
【００５７】
第一ダクト部６５１は、各ファン６２，６３から吐出された冷却空気から、液晶パネル４４１Ｇ近傍に送風する空気を確保する。具体的に、第一ダクト部６５１は、起立部６５Ａ及びロアーケース２２の内面によって囲まれて形成されている。そして、当該第一ダクト部６５１を形成する起立部６５Ａは、並列配置された各吐出口６２１，６３１による冷却空気の吐出方向、及び、各ファン６２，６３の回転軸方向に対してそれぞれ直交する方向（以下、第一方向Ａ１として示す）における各吐出口６２１，６３１の略中央と接続されている。このため、第一ダクト部６５１内には、各吐出口６２１，６３１におけるそれぞれ隣り合う外周側の領域から、吐出圧が高く、かつ、風量の多い冷却空気が導入される。
【００５８】
図９は、第一ダクト部６５１及びダクト６１の後述する起立部６１４Ｇを示す縦断面図である。
このような第一ダクト部６５１は、図６、図８及び図９に示すように、吐出口６２１，６３１からの冷却空気の吐出方向に沿って延出した延出部６５１１と、当該延出部６５１１の延出方向先端側に形成された湾曲部６５１２とを備えている。
このうち、湾曲部６５１２は、延出部６５１１の延出方向先端側に向かうに従って先が細くなり、かつ、延出部６５１１の延出方向先端側が液晶パネル４４１Ｇ側に近接する方向に湾曲して形成されている。
このような第一ダクト部６５１内には、吐出口６２１，６３１における外周側の領域からそれぞれ吐出された冷却空気が導入される。そして、当該冷却空気は、延出部６５１１に沿って流通した後、湾曲部６５１２の湾曲形状に沿って、上方（液晶パネル４４１Ｇに近接する方向）に流通する。そして、当該冷却空気は、ダクト６１の後述する延出部６１４に形成された起立部６１４Ｇ内に流入する。
【００５９】
図６及び図８に戻り、第二ダクト部６５２は、それぞれ、吐出口６２１，６３１の内周側に接続され、当該各吐出口６２１，６３１から吐出された冷却空気を導風する。この第二ダクト部６５２は、吐出口６２１に接続される導風部６５３と、吐出口６３１に接続される導風部６５４とを備えている。
【００６０】
図１０は、導風部６５３，６５４及びダクト６１の後述する起立部６１４Ｂ，６１４Ｒを示す縦断面図である。
このうち、導風部６５３は、ロアーケース２２の内面に形成された起立部６５Ａ，６５Ｂにより形成され、一端が吐出口６２１の内周側の領域（前述の第一方向Ａ１における吐出口６２１側の端部）と接続され、図１０に示すように、他端がダクト６１の後述する延出部６１４に形成された起立部６１４Ｂに接続される。この導風部６５３には、当該領域から吐出された冷却空気が流入し、当該冷却空気は、起立部６１４Ｂ内を流通する。
【００６１】
また、導風部６５４は、ロアーケース２２の内面に形成された起立部６５Ａ，６５Ｃにより形成され、一端が吐出口６３１の内周側の領域（前述の第一方向Ａ１における吐出口６３１側の端部）と接続され、他端がダクト６１の後述する延出部６１４に形成された起立部６１４Ｒに接続されるともに、偏光変換素子４１４側に平面視略Ｌ字状に延出する第三ダクト部６５５に接続されている。この導風部６５４には、当該領域から吐出された冷却空気が流入し、当該冷却空気は、導風部６５４の先端部にて、当該起立部６１４Ｒ内を流通する経路と、第三ダクト部６５５内を流通する経路に分けられる。
【００６２】
〔延出部の構成〕
延出部６１４は、図６及び図７に示すように、ダクト６１をロアーケース２２に取り付けた際の背面側に位置する接続部６１３の端部から当該背面側に延出するように形成されており、当該延出部６１４は、図９及び図１０に示すように、電気光学装置４４の下方に位置している。そして、当該延出部６１４は、前述のダクト部６５と組み合わさることで、当該ダクト部６５で分割された冷却空気を、上方に位置する電気光学装置４４、及び、偏光変換装置４１４（図４）に導風する。すなわち、延出部６１４は、本発明のダクトを構成する。
このような延出部６１４には、当該延出部６１４の延出方向先端部において起立する起立部６１４Ｒ，６１４Ｇ，６１４Ｂと、起立部６１４Ｂの下方から略Ｌ字状の延出する延出部６１４Ｐとが形成されている。
【００６３】
起立部６１４Ｇは、図９に示すように、延出部６１４からの起立方向先端側に向かうに従って、横断面積が小さくなる略角錐台形状を有している。詳述すると、起立部６１４Ｇにおいて、上方に位置する液晶パネル４４１の光束射出側に位置する側壁６１４ＧＡは、延出部６１４に対して略垂直に起立しているが、光束入射側に位置する側壁６１４ＧＢは、側壁６１４ＧＡに近接する方向に傾斜している。
【００６４】
このため、延出部６１４とダクト部６５とが組み合わされ、当該ダクト部６５の第一ダクト部６５１内に冷却空気が吐出されると、当該冷却空気は、第一ダクト部６５１を介して起立部６１４Ｇ内に流入する。この際、第一ダクト部６５１の湾曲部６５１２に沿って流通した冷却空気は、起立部６１４Ｇの側壁６１４ＧＢに沿って流通する。このため、当該冷却空気の流通方向は、側壁６１４ＧＡ側に寄ることとなり、冷却空気は、起立部６１４Ｇの起立方向先端に形成された送風口ＡＧに向かって流通する。すなわち、側壁６１４ＧＢは、本発明の傾斜部に相当する。
【００６５】
この送風口ＡＧは、平面視略台形状を有し、台形における高さ方向（上底及び下底を接続する方向）の略中央において仕切部６１４Ｇ１により、２つの開口ＡＧ１，ＡＧ２に分断されている。この仕切部６１４Ｇ１は、液晶パネル４４１Ｇの直下に位置しており、開口面積の小さい上底側の開口ＡＧ１は、液晶パネル４４１Ｇと、当該液晶パネル４４１Ｇの光束入射側に位置する入射側偏光板４４２との間に冷却空気を導風し、これらを冷却する。また、開口面積の大きい下底側の開口ＡＧ２は、液晶パネル４４１Ｇと、当該液晶パネル４４１Ｇの光束射出側に位置する射出側偏光板４４３との間に、冷却空気を導風し、これらを冷却する。すなわち、本発明の第一ダクト部は、第一ダクト部６５１及び起立部６１４Ｇが組み合わさって構成される。
【００６６】
ここで、前述のように、第一ダクト部６５１内に流入した冷却空気のうち、主な冷却空気は、湾曲部６５１２及び側壁６１４ＧＢに沿って流通する。ここで、この側壁６１４ＧＢは、起立方向の先端が他方の側壁６１４ＧＡに近接するように傾斜しているため、当該側壁６１４ＧＢに沿って流通した冷却空気は、送風口ＡＧに向かって導風される。このため、送風口ＡＧ内での圧力を高め、冷却空気の速度を上げることができる。従って、より効率的に液晶パネル４４１Ｇ及び偏光板４４２，４４３の冷却を行うことができる。
また、開口ＡＧ２の開口面積は、開口ＡＧ１より大きいので、当該開口ＡＧ２から送出される冷却空気の風量を、開口ＡＧ１から送出される冷却空気の風量より多くすることができる。従って、液晶パネル４４１Ｇの光束射出側に、光束入射側より多くの冷却空気を流通させることができるので、当該液晶パネル４４１Ｇの光束射出側に位置する射出側偏光板４４３を効率よく冷却することができる。
更に、仕切部６１４Ｇ１は、起立部６１４Ｇの内部に向かう箇所が鋭角に形成されているので、開口ＡＧ１，ＡＧ２を流通するそれぞれの冷却空気を整流することができる。
【００６７】
起立部６１４Ｂは、第二ダクト部６５２の導風部６５３と組み合わさり、当該導風部６５３内に吐出された冷却空気を、液晶パネル４４１Ｂ近傍に導風する。すなわち、本発明の第二ダクト部を構成する一方の導風部は、導風部６５３と起立部６１４Ｂとが組み合わさって構成される。
この起立部６１４Ｂは、図６、図７及び図１０に示すように、起立部６１４Ｇと同様に、延出部６１４からの起立方向先端側に向かうに従って、横断面積が小さくなるように、略角錐台形状を有しているが、当該起立部６１４Ｇより小さく形成されている。
【００６８】
このような起立部６１４Ｂにおける起立方向先端に形成された送風口ＡＢは、送風口ＡＧとは異なり、仕切部は形成されておらず、１つの略台形状の開口として形成されている。このため、送風口ＡＢにおける上底側より下底側に多くの冷却空気が流通することとなり、液晶パネル４４１Ｂと入射側偏光板４４２との間より、当該液晶パネル４４１Ｂと射出側偏光板４４３との間の方に、より多くの冷却空気が流通する。
しかしながら、本実施形態では、液晶パネル４４１Ｂの光束入射側に位置する入射側偏光板４４２は、ガラス等の基板に無機材料が積層されて形成されているので、有機材料が積層されて形成された他の偏光板に比べて耐熱性が高い。このような入射側偏光板４４２に比べて射出側偏光板４４３の冷却の必要性が高いので、当該射出側偏光板４４３側に多くの冷却空気が流通するように、送風口ＡＢは形成されている。
【００６９】
起立部６１４Ｒは、第二ダクト部６５２の導風部６５４と組み合わさり、当該導風部６５４内に吐出された冷却空気を、液晶パネル４４１Ｒ近傍に導風する。すなわち、本発明の第二ダクト部を構成する他方の導風部は、導風部６５４と起立部６１４Ｒとが組み合わさって構成される。
この起立部６１４Ｒは、図６、図７及び図１０に示すように、起立部６１４Ｇと同様に、延出部６１４からの起立方向先端側に向かうに従って、横断面積が小さくなるように、略角錐台形状を有しているが、起立部６１４Ｇ，６１４Ｂより小さく形成されている。そして、導風部６５４を経て、起立部６１４Ｒ内に導入された冷却空気は、当該起立部６１４Ｒの起立方向先端に形成された送風口ＡＲを介して、当該起立部６１４Ｒの上方に位置する液晶パネル４４１Ｂ及び偏光板４４２，４４３に送風される。
【００７０】
送風口ＡＲは、略台形状を有し、当該送風口ＡＲは、送風口ＡＧと同様に、長手方向の略中央にて仕切部６１４Ｒ１により、２つの開口ＡＲ１，ＡＲ２に分けられている。この仕切部６１４Ｒ１は、液晶パネル４４１Ｒの直下に位置するため、開口面積の小さい上底側の開口ＡＲ１から送出された冷却空気は、液晶パネル４４１Ｒと、当該液晶パネル４４１Ｒの光束入射側に位置する入射側偏光板４４２との間を流通し、これらを冷却する。また、開口面積の大きい下底側の開口ＡＲ２から送出された冷却空気は、液晶パネル４４１Ｒと、当該液晶パネル４４１Ｒの光束射出側に位置する射出側偏光板４４３との間を流通し、これらを冷却する。
このように、送風口ＡＲを略台形状とし、当該送風口ＡＲを仕切部６１４Ｒ１により分断することにより、起立部６１４Ｒ内に導入された冷却空気を、液晶パネル４４１Ｒの光束入射側及び光束射出側に、液晶パネル４４１Ｒ及び偏光板４４２，４４３の冷却の必要性に応じて整流しつつ振り分けることができる。
【００７１】
また、延出部６１４Ｐと第三ダクト部６５５とにより形成される空間内を流通する冷却空気は、当該延出部６１４Ｐの延出方向先端側に形成された送風口ＡＰを介して、当該送風口ＡＰの上方に位置する偏光変換素子４１４近傍に送風される。
この送風口ＡＰは、略長方形状を有し、長手方向が、偏光変換素子４１４に入射する光束の光軸に対して直交する方向となるように形成されている。そして、この送風口ＡＰは、当該長手方向に沿う仕切部６１４Ｐ１により分断され、これにより、送風口ＡＰは、それぞれ同じ開口面積である開口ＡＰ１，ＡＰ２を有している。そして、開口ＡＰ１から送出された冷却空気は、偏光変換素子４１４の光束入射側を流通し、また、開口ＡＰ２から送出された冷却空気は、偏光変換素子４１４の光束射出側を流通し、当該各冷却空気により、偏光変換素子４１４が冷却される。
【００７２】
〔第一冷却系の冷却空気の流路〕
図１１〜図１３は、冷却空気の流路を示す図である。詳述すると、図１１は、側部６１１，６１２間を接続する方向のダクト６１の縦断面図であり、図１２は、シロッコファン６２，６３による冷却空気の吐出方向に沿う方向のダクト６１及びダクト部６５の縦断面図である。
以下、第一冷却系を流通する冷却空気の流路について説明する。
前述のように、外装筐体２のアッパーケース２１に形成された吸気口２１３１（図１）と、ダクト６１の開口６１１１とは接続されており、当該吸気口２１３１から導入された外装筐体２外部の冷却空気は、図１１に示すように、開口６１１１を介して、ダクト６１の側部６１１内に流入する。そして、当該冷却空気は、接続部６１３を介して、側部６１２側に流通する過程で、当該接続部６１３の開口６１３１を閉塞する取付部材６４に取り付けられたシロッコファン６２，６３により吸引される。
【００７３】
各ファン６２，６３（図１２では、ファン６２のみ図示）に吸引された冷却空気は、図１２に示すように、当該各ファン６２，６３の吐出口６２１，６３１から吐出される。この際、各吐出口６２１，６３１の互いに近接する側の領域、すなわち、各吐出口６２１，６３１の外周側の領域から吐出された冷却空気は、第一ダクト部６５１内に流入する。また、各吐出口６２１，６３１の互いに離間する側の領域、すなわち、各吐出口６２１，６３１の内周側の領域から吐出された冷却空気は、それぞれ第二ダクト部６５２の導風部６５３，６５４内に流入する。
【００７４】
このうち、第一ダクト部６５１に流入した冷却空気は、図９において示したように、当該第一ダクト部６５１の延出部６５１１に沿って延出した後、湾曲部６５１２に沿って流通する。そして、当該冷却空気は、湾曲部６５１２の上方側で接続される起立部６１４Ｇの側壁６１４ＧＢに沿って上方に向かうとともに、延出部６５１１の基端側、すなわち、側壁６１４ＧＡ側に向かって流通して、送風口ＡＧに到達する。
【００７５】
また、第二ダクト部６５２の導風部６５３に流入した冷却空気は、図１０において示したように、導風部６５３から、当該導風部６５３の上方側で接続される起立部６１４Ｂ内に流入して、送風口ＡＢに到達する。
更に、第二ダクト部６５２の導風部６５４に流入した冷却空気は、一方が、当該導風部６５４の上方側で接続される起立部６１４Ｒ内に流入して、送風口ＡＲに到達する。そして、他方が、導風部６５４から偏光変換素子４１４側に延出する第三ダクト部６５５と、延出部６１４Ｐとにより形成される空間内を流通し、送風口ＡＰから偏光変換素子４１４に向かって送出される。
【００７６】
図１３は、各起立部６１４Ｒ，６１４Ｇ，６１４Ｂの送風口ＡＲ，ＡＧ，ＡＢと、電気光学装置４４との位置関係を示す平面図である。
以上のように、各起立部６１４Ｒ，６１４Ｇ，６１４Ｂの送風口ＡＲ，ＡＧ，ＡＢに冷却空気が到達するが、当該各送風口ＡＲ，ＡＧ，ＡＢにおける上方（冷却空気の送風方向先端側）には、図１３に示すように、電気光学装置４４が位置している。
このため、送風口ＡＲ，ＡＧを構成する開口ＡＲ１，ＡＧ１から送出された冷却空気は、液晶パネル４４１Ｒ，４４１Ｇと、当該液晶パネル４４１Ｒ，４４１Ｇに対応する入射側偏光板４４２との間を流通して、これらを冷却する。また、開口ＡＲ２，ＡＧ２から送出された冷却空気は、液晶パネル４４１Ｒ，４４１Ｇと、当該液晶パネル４４１Ｒ，４４１Ｇに対応する射出側偏光板４４３との間を流通して、これらを冷却する。
また、送風口ＡＢから送出された冷却空気のうち、一部が液晶パネル４４１Ｂの光束入射側を流通して、当該液晶パネル４４１Ｂ及び入射側偏光板４４２を冷却し、他の一部が液晶パネル４４１Ｂの光束射出側を流通して、当該液晶パネル４４１Ｂ及び射出側偏光板４４３を冷却する。
【００７７】
以上説明した本実施形態のプロジェクタ１によれば、以下の効果がある。
（１）２つのシロッコファン６２，６３は、各吐出口６２１，６３１における外周側の領域がそれぞれ隣り合うように並列配置されている。また、これら吐出口６２１，６３１には、第一ダクト部６５１及び第二ダクト部６５２の導風部６５３，６５４が接続され、当該吐出口６２１，６３１の外周側の領域から吐出された冷却空気が第一ダクト部６５１内に導入され、各吐出口６２１，６３１の内周側の領域から吐出された冷却空気が、それぞれ導風部６５３，６５４内に導入される。
【００７８】
これによれば、第一ダクト部６５１が、各吐出口６２１，６３１からの吐出圧が高く、かつ、風量の多い冷却空気を、第一冷却対象である液晶パネル４４１Ｇ近傍に導風することができる。また、第二ダクト部６５２を構成する各導風部６５３，６５４が、各吐出口６２１，６３１における内周側の領域から吐出された冷却空気を、それぞれ第二冷却対象である液晶パネル４４１Ｒ，４４１Ｂ近傍に導風することができる。
従って、液晶パネル４４１及び偏光板４４２，４４３を、それぞれの冷却の必要性に応じて、効率よく冷却することができる。
【００７９】
（２）前述のように、第二ダクト部６５２を構成する導風部６５３，６５４は、それぞれファン６２，６３の吐出口６２１，６３１における内周側の領域から吐出された冷却空気を、液晶パネル４４１Ｂ，４４１Ｒ近傍に導風する。
これによれば、液晶パネル４４１Ｇ及び偏光板４４２，４４３に比べて低いものの冷却の必要性のある液晶パネル４４１Ｒ，４４１Ｂ及び偏光板４４２，４４３に対しても、冷却空気を送風することができる。従って、３つの冷却対象に対して、当該各冷却対象の冷却の必要性に応じて、冷却空気を送風することができる。
【００８０】
（３）各シロッコファン６２，６３は、回転軸が同軸上にないように隣接して配置されており、隣り合う各吐出口６２１，６３１において、それぞれ他方の吐出口に近接する側の領域が、外周側の領域となる。これによれば、各吐出口６２１，６３１からの吐出圧が高く、かつ、風量が多い冷却空気と、吐出圧が低く、かつ、風量の少ない冷却空気とをそれぞれ分離して、第一ダクト部６５１及び第二ダクト部６５２の各導風部６５３，６５４に導風しやすくすることができる。従って、当該外周側の領域から吐出された冷却空気を液晶パネル４４１Ｇ及び偏光板４４２，４４３に、また、内周側の領域から吐出された冷却空気を、当該液晶パネル４４１Ｇ等に比べて冷却の必要性の低い液晶パネル４４１Ｒ，４４１Ｂ及び偏光板４４２，４４３に、確実かつ簡易に導風することができる。
【００８１】
また、このように各シロッコファン６２，６３を配置することで、各シロッコファン６２，６３の回転軸が同軸上に位置するように配置する場合に比べ、回転軸に沿う方向の寸法を小さくすることができる。従って、シロッコファン６２，６３が配置される部位を薄型化することができ、ひいては、プロジェクタ１の薄型化を図ることができるほか、当該各ファン６２，６３の配置自由度を向上することができる。
更に、第二ダクト部６５２の各導風部６５３，６５４は、各吐出口６２１，６３１における互いに離間する側に接続することにより、当該導風部６５３，６５４の内部に冷却空気を導入することができるので、各ファン６２，６３に対するダクト部６５の組み合わせを簡易に行うことができる。従って、冷却装置６の第一冷却系の構成を簡略化することができる。
【００８２】
（４）ここで、各シロッコファンのそれぞれ逆側に吸気口が形成されている場合には、吸気口が位置する両側に吸気用のスペースを形成する必要がるほか、外装筐体２外から導入した空気だけでなく、プロジェクタ１内部の空気も各ファンが吸気してしまう恐れがある。これに対し、各シロッコファン６２，６３の吸気口６２２，６３２は同じ側に位置するので、当該各吸気口６２２，６３２をダクト６１に対向させるように配置することで、外装筐体２外から導入した冷却空気のみを、確実に第一ダクト部６５１及び第二ダクト６５２に吐出することができるほか、吸気用のスペースを当該吸気口６２２，６３２が形成された側のみに設ければよいこととなる。従って、各ファン６２，６３から吐出される冷却空気の温度を下げることができるほか、第一冷却系の寸法を一層小さくすることができる。
【００８３】
（５）ここで、前述のように、光源装置４１１から射出される光束には、他の色成分に比べて緑色成分が多いため、緑色光が入射する液晶パネル４４１Ｇ及び偏光板４４２，４４３は、他に比べて冷却の必要性が高い。
これに対し、第一ダクト部６５１に導入された冷却空気、すなわち、吐出圧が高く、かつ、風量の多い冷却空気を液晶パネル４４１Ｇ近傍に導風することにより、当該液晶パネル４４１Ｇ及び偏光板４４２，４４３を効率よく冷却することができる。また、液晶パネル４４１Ｒ，４４１Ｂ及び偏光板４４２，４４３に対しても、導風部６５３，６５４内に導入された空気が送風されることとなるので、これらを確実に冷却することができる。
【００８４】
（６）液晶パネル４４１Ｇ近傍に冷却空気を導風する第一ダクト部６５１の送風口ＡＧは、仕切部６１４Ｇ１により、開口ＡＧ１，ＡＧ２に分けられる。このうち、液晶パネル４４１Ｇの光束射出側に冷却空気を送風する開口ＡＧ２の開口面積は、光束入射側に冷却空気を送風する開口ＡＧ１より大きく設定されている。これによれば、液晶パネル４４１Ｇの前後に配置された偏光板４４２，４４３のうち、より冷却の必要性の高い射出側偏光板４４３に送風する冷却空気の風量を増加させることができる。従って、冷却の必要性に応じた冷却空気を各偏光板４４２，４４３に導風することができ、当該各偏光板を無駄なく確実に冷却することができる。
【００８５】
（７）第一ダクト部６５１に形成された湾曲部６５１２に接続される起立部６１４Ｇの側壁６１４ＧＢは、延出部６５１１における吐出口６２１，６３１からの延出方向の先端側の部位である。この側壁６１４ＧＢは、当該延出方向の基端側に向かって傾斜している。このため、湾曲部６５１２及び側壁６１４ＧＢに沿って流通した空気を、起立部６１４Ｇ内の側壁６１４ＧＡ側に向けさせることができる。これによれば、送風口ＡＧにおける冷却空気の圧力を高め、冷却空気の速度を上げることができる。従って、より効率的に液晶パネル４４１Ｇ及び偏光板４４２，４４３の冷却を行うことができる。また、開口ＡＧ１，ＡＧ２のそれぞれの開口面積を調整することにより、液晶パネル４４１Ｇの光束入射側及び光束射出側を流通する冷却空気の風量を調整することができるので、冷却空気の送風量調整を簡易に行うことができる。
【００８６】
〔実施形態の変形〕
本発明は前述の実施形態に限定されるものではなく、本発明の目的を達成できる範囲での変形、改良等は本発明に含まれるものである。
前記実施形態では、シロッコファン６２，６３は、吐出口６２１，６３１の外周側の領域が隣り合い、かつ、各ファン６２，６３の回転軸の軸方向が、互いに同軸とならないように配置されるとしたが、本発明はこれに限らない。すなわち、各ファン６２，６３の回転軸の軸方向が、互いに同軸となるように配置されてもよい。
【００８７】
図１４は、前記実施形態の変形を示す図であり、詳述すると、同軸上に回転軸ＡＸを有するシロッコファン６２Ａ，６３Ａと、ダクト部の導入口６５Ｄ〜６５Ｆとの位置関係を示す模式図である。なお、図１４中における斜線を含む矢印は、各ファン６２Ａ，６３Ａの吸気方向を示し、他の矢印は、吐出口６２Ａ１，６３Ａ１における冷却空気の吐出方向を示している。
例えば、図１４に示すように、各シロッコファン６２Ａ，６３Ａの吸気面が互いに反対側を向くように、かつ、吐出口６２Ａ１，６３Ａ１が互いに並列となるように、各ファン６２Ａ，６３Ａを配置した場合が挙げられる。このような構成では、各吐出口６２Ａ１，６３Ａ１における外周側の領域は、図１４における下方に位置し、内周側の領域は、上方に位置する。
【００８８】
このため、吐出された冷却空気を第一冷却対象に導風する第一ダクト部に導入する場合には、当該第一ダクト部の導入口６５Ｄが、吐出口６２Ａ１，６３Ａ１の下方側の領域を覆うように配置すればよい。これにより、当該導入口６５Ｄを介して、各吐出口６２Ａ１，６３Ａ１からの吐出圧が高く、風量の多い冷却空気を、冷却の必要性の高い第一冷却対象に送風することができる。
また、各吐出口６２Ａ１，６３Ａ１の上方側をそれぞれ覆うように、第二ダクト部のそれぞれ異なる導風部の導入口６５Ｅ，６５Ｆを配置することで、当該導入口６５Ｅ，６５Ｆを介して、それぞれの導風部に冷却空気を送風することができる。
【００８９】
前記実施形態では、冷却対象として、各液晶パネル４４１（４４１Ｒ，４４１Ｇ，４４１Ｂ）と、当該各液晶パネル４４１の光束入射側及び光束射出側に配置された偏光板４４２，４４３と、偏光変換素子４１４とを挙げたが、本発明はこれに限らない。例えば、電源装置５や制御装置等を冷却対象として、これらに冷却空気を送風する構成としてもよい。
【００９０】
前記実施形態では、並列配置されたファン６２，６３の吐出口６２１，６３１における隣り合う外周側の領域から吐出された冷却空気を第一ダクト部６５１が導風し、互いに離間する側に位置する内周側の領域から吐出された冷却空気を、第二ダクト部６５２の導風部６５３，６５４がそれぞれ導風する構成としたが、本発明はこれに限らない。例えば、各導風部６５３，６５４内に流入した冷却空気を合成して、他の冷却対象に送風する構成としてもよい。
【００９１】
前記実施形態では、ファン６２，６３の各吸気口６２２，６３２は、それぞれ同じ側を向くように構成したが、本発明はこれに限らない。すなわち、各吸気口６２２，６３２がそれぞれ異なる方向を向いていてもよい。
【００９２】
前記実施形態では、プロジェクタ１は、３つの液晶パネル４４１Ｒ，４４１Ｇ，４４１Ｂを備えるとしたが、本発明はこれに限らない。すなわち、２つ以下、あるいは、４つ以上の液晶パネルを用いたプロジェクタにも、本発明を適用可能である。
また、前記実施形態では、光学装置４は平面視略Ｌ字形状を有した構成を説明したが、これに限らず、例えば、平面視略Ｕ字形状を有した構成を採用してもよい。
更に、前記実施形態では、光束入射面と光束射出面とが異なる透過型の液晶パネル４４１を用いていたが、光入射面と光射出面とが同一となる反射型の液晶パネルを用いてもよい。
【００９３】
前記実施形態では、光変調装置として液晶パネル４４１を備えたプロジェクタ１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタにも、本発明を適用することも可能である。このような光変調装置を用いた場合、光束入射側及び光束射出側の偏光板４４２，４４３は省略することができる。
【産業上の利用可能性】
【００９４】
本発明は、プロジェクタに好適に利用することができる。
【図面の簡単な説明】
【００９５】
【図１】本発明の一実施形態に係るプロジェクタを示す斜視図。
【図２】前記実施形態におけるプロジェクタを示す斜視図。
【図３】前記実施形態における装置本体を示す斜視図。
【図４】前記実施形態における光学装置の光学系を示す模式図。
【図５】前記実施形態における第一冷却系を示す斜視図。
【図６】前記実施形態における第一冷却系を示す斜視図。
【図７】前記実施形態におけるダクトを示す平面図。
【図８】前記実施形態におけるダクト部を示す平面図。
【図９】前記実施形態における第一ダクト部及び起立部を示す縦断面図。
【図１０】前記実施形態における導風部及び起立部を示す縦断面図
【図１１】前記実施形態における冷却空気の流路を示す図。
【図１２】前記実施形態における冷却空気の流路を示す図。
【図１３】前記実施形態における起立部の送風口と電気光学装置との位置関係を示す平面図。
【図１４】前記実施形態の変形を示す図。
【符号の説明】
【００９６】
１…プロジェクタ、６…冷却装置、４２…色分離光学装置、４５…投射光学装置、６２，６３…シロッコファン、６５…ダクト部（ダクト）、４１１…光源装置（光源）、４４１Ｒ，４４１Ｂ…液晶パネル（光変調装置、第二冷却対象）、４４１Ｇ…液晶パネル（光変調装置、第一冷却対象）、４４２…入射側偏光板（偏光板）、４４３…射出側偏光板（偏光板）、６１４…延出部（ダクト）、６２１，６３１…吐出口、６２２，６３２…吸気口、６５１…第一ダクト部、６５２…第二ダクト部、６５３，６５４…導風部、６５１１…延出部、６５１２…湾曲部、６１４ＧＢ…側壁（傾斜部）、ＡＧ…送風口。
【図１】
0005109558.tif 000002
【図２】
0005109558.tif 000003
【図３】
0005109558.tif 000004
【図４】
0005109558.tif 000005
【図５】
0005109558.tif 000006
【図６】
0005109558.tif 000007
【図７】
0005109558.tif 000008
【図８】
0005109558.tif 000009
【図９】
0005109558.tif 000010
【図１０】
0005109558.tif 000011
【図１１】
0005109558.tif 000012
【図１２】
0005109558.tif 000013
【図１３】
0005109558.tif 000014
【図１４】
0005109558.tif 000015